(57)【要約】【課題】  アナログテレビからデジタルテレビへの移行時の開発・製造コストを低減させることができる陰極線管を使用したテレビジョン受像機の提供。【解決手段】  クロマ部５０５・水平ドライブ回路部５０６・垂直ドライブ回路部５０８によって構成される映像信号処理部と電源部５０３とフライバックトランス５０７等のＣＲＴ表示装置に共通する機能部を、ＴＶプリント基板５０に形成し、各放送信号等から映像信号を生成する機能部等を備える基板とは別基板とすることによって、非共通部分（別基板部分）を交換することのみでアナログテレビやデジタルテレビを構成することができ、これらの開発・製造コストの低減が図られる。【選択図】      図５
2005347812.tif 000002
【特許請求の範囲】
【請求項１】
アナログ放送又はデジタル放送を受信、表示するＣＲＴ受像機であって、装置に電源を供給する電源部とＣＲＴへ供給する高電圧を発生させるフライバックトランスと入力された映像信号に同期させてＣＲＴの電子ビームを偏向すると共に入力された映像信号からＣＲＴ基板へ入力するＲＧＢ信号を生成するための映像信号処理部と入力された音声信号を増幅するサウンドアンプ部とを少なくとも含む１枚又は複数の基板によって構成されアナログテレビとデジタルテレビとにおいて共通するＴＶプリント基板と、アナログ放送を受信する受像機の場合は、アナログ放送信号から前記映像信号を生成する映像信号変換部及びアナログ放送信号から前記音声信号を生成する音声信号処理部を含む１枚又は複数の基板によって構成されるＡＶプリント基板とを別基板として形成し、デジタル放送を受信する受像機の場合は、デジタル放送信号から前記映像信号を生成するデジタル映像信号変換部及びデジタル放送信号から前記音声信号を生成するデジタル音声処理部を含む１枚又は複数の基板によって構成されるＡＶプリント基板とを別基板として形成したことを特徴とするＣＲＴ受像機。
【請求項２】
アナログ放送を受信、表示する高精細度対応ＣＲＴ受像機であって、装置に電源を供給する電源部とＣＲＴへ供給する高電圧を発生させるフライバックトランスと入力された映像信号に同期させてＣＲＴの電子ビームを偏向すると共に入力された映像信号からＣＲＴ基板へ入力するＲＧＢ信号を生成するための映像信号処理部と入力された音声信号を増幅するサウンドアンプ部とを少なくとも含む１枚又は複数の基板によって構成されアナログテレビとデジタルテレビとにおいて共通するＴＶプリント基板と、アナログ放送信号から前記映像信号を生成する映像信号変換部及びアナログ放送信号から前記音声信号を生成する音声信号処理部を含む１枚又は複数の基板によって構成されるＡＶプリント基板とを別基板として形成したことを特徴とする高精細度対応ＣＲＴ受像機。
【請求項３】
デジタル放送を受信、表示するデジタル放送対応ＣＲＴ受像機であって、装置に電源を供給する電源部とＣＲＴへ供給する高電圧を発生させるフライバックトランスと入力された映像信号に同期させてＣＲＴの電子ビームを偏向すると共に入力された映像信号からＣＲＴ基板へ入力するＲＧＢ信号を生成するための映像信号処理部と入力された音声信号を増幅するサウンドアンプ部とを少なくとも含む１枚又は複数の基板によって構成されアナログテレビとデジタルテレビとにおいて共通するＴＶプリント基板と、デジタル放送信号から前記映像信号を生成するデジタル映像信号変換部及びデジタル放送信号から前記音声信号を生成するデジタル音声処理部を含む１枚又は複数の基板によって構成されるＡＶプリント基板と、を別基板として形成したことを特徴とするデジタル放送対応ＣＲＴ受像機。
【請求項４】
前記映像信号処理部が、少なくとも、クロマ部、水平ドライブ回路部及び垂直ドライブ回路部によって構成され、前記ＴＶプリント基板が、操作ボタンやリモコン受光部などを備えるオペレーション部及び外部入力端子部を備えたことを特徴とする請求項１記載の高精細度対応ＣＲＴ受像機、又は、請求項２記載のデジタル放送対応ＣＲＴ受像機。
【請求項５】
前記映像信号変換部が、少なくとも、アナログチューナ装置、３Ｄ  Ｙ／Ｃ分離部、Ｉ／Ｐ変換部、スケーラ部及び制御部によって構成され、前記音声信号処理部が、少なくとも、前記アナログチューナ装置、音多部、サウンドプロセッサ部及び前記制御部によって構成され、前記ＡＶプリント基板が、ＡＶスイッチ部、Ａ／Ｄコンバータ部及び外部入出力端子部を備えたことを特徴とする請求項１又は請求項３記載の高精細度対応ＣＲＴ受像機。
【請求項６】
前記デジタル映像信号変換部が、少なくとも、デジタルチューナ装置、情報圧縮伸張部及び制御部によって構成され、前記デジタル音声処理部が、少なくとも、前記デジタルチューナ装置、前記情報圧縮伸張部、サウンドプロセッサ部及び前記制御部によって構成され、前記ＡＶプリント基板が、ＡＶスイッチ部及び外部入出力端子部を備えたことを特徴とする請求項２又は請求項３記載のデジタル放送対応ＣＲＴ受像機。
【発明の詳細な説明】
【技術分野】
【０００１】
本発明は、陰極線管を使用したテレビジョン受像機に関するものであり、特にアナログ放送受信装置を内蔵したものとデジタル放送受信装置を内蔵したものの間で基板の共有化が図られたものに関する。
【背景技術】
【０００２】
近年ではデジタル衛星放送及びデジタルケーブルテレビ放送が行なわれており、地上波放送においてもデジタル方式への移行が進んできている。従ってデジタル放送を受信できるテレビジョン受像機（以下単にデジタルテレビ）の開発・製造も活発化しており、当然のごとくこれらのデジタルテレビやデジタルテレビに内蔵されるデジタル放送受信装置の開発・製造コストを低減させる努力がなされている。
【０００３】
このような装置の開発・製造コストを低減させる１つの方法として、装置内に備えられる基板を複数の機種間で共通化・共用化することが行われており、このような従来技術であってデジタルテレビに関するものが特許文献１〜特許文献３などによって開示されている。
【０００４】
【特許文献１】特開２０００−１６５７６１号公報
【特許文献２】特開２０００−２９９５７６号公報
【特許文献３】特開２００３−６１００９号公報
【発明の開示】
【発明が解決しようとする課題】
【０００５】
上述したごとく、放送のデジタル化が進んでいるが、一方で、国・地域によっては当面はアナログ方式による放送が行われる予定（デジタル化の具体的な目途が立っていない）となっている地域もある。従って、将来的にはデジタルテレビのみが生産される状況も到来するであろうが、当面は、アナログ放送を受信できるテレビジョン受像機（以下単にアナログテレビ）の製造も継続して行われ、放送のデジタル化の進捗及び市場の動向などに合わせて、順次アナログテレビからデジタルテレビに移行していくものと予想される（例えば、アナログ放送しか受信できないものからアナログ放送及びデジタル放送の両方を受信できるものへ移行し、最終的にはデジタル放送のみしか受信できないものに移行するなど）。これに対し、特許文献１〜特許文献３などによって開示される従来技術は主にデジタルテレビのみに対して適用されるものであり、アナログテレビからデジタルテレビへの移行時においてアナログテレビ及びデジタルテレビの双方に利用できるものではなかった。
【０００６】
本発明は、上記したような状況に鑑み、アナログテレビからデジタルテレビへの移行時の開発・製造コストを低減させることができる陰極線管を使用したテレビジョン受像機を提供することを目的とする。
【課題を解決するための手段】
【０００７】
請求項１のＣＲＴ受像機は、アナログ放送又はデジタル放送を受信、表示するＣＲＴ受像機であって、装置に電源を供給する電源部とＣＲＴへ供給する高電圧を発生させるフライバックトランスと入力された映像信号に同期させてＣＲＴの電子ビームを偏向すると共に入力された映像信号からＣＲＴ基板へ入力するＲＧＢ信号を生成するための映像信号処理部と入力された音声信号を増幅するサウンドアンプ部とを少なくとも含む１枚又は複数の基板によって構成されアナログテレビとデジタルテレビとにおいて共通するＴＶプリント基板と、アナログ放送を受信する受像機の場合は、アナログ放送信号から前記映像信号を生成する映像信号変換部及びアナログ放送信号から前記音声信号を生成する音声信号処理部を含む１枚又は複数の基板によって構成されるＡＶプリント基板とを別基板として形成し、デジタル放送を受信する受像機の場合は、デジタル放送信号から前記映像信号を生成するデジタル映像信号変換部及びデジタル放送信号から前記音声信号を生成するデジタル音声処理部を含む１枚又は複数の基板によって構成されるＡＶプリント基板とを別基板として形成したことを特徴とする。
【０００８】
上記構成によれば、アナログ放送を受信・表示するＣＲＴ受像機と、デジタル放送を受信・表示するＣＲＴ受像機との間で、ＴＶプリント基板が共通化される。
【０００９】
請求項２の高精細度対応ＣＲＴ受像機は、アナログ放送を受信、表示する高精細度対応ＣＲＴ受像機であって、装置に電源を供給する電源部とＣＲＴへ供給する高電圧を発生させるフライバックトランスと入力された映像信号に同期させてＣＲＴの電子ビームを偏向すると共に入力された映像信号からＣＲＴ基板へ入力するＲＧＢ信号を生成するための映像信号処理部と入力された音声信号を増幅するサウンドアンプ部とを少なくとも含む１枚又は複数の基板によって構成されアナログテレビとデジタルテレビとにおいて共通するＴＶプリント基板と、アナログ放送信号から前記映像信号を生成する映像信号変換部及びアナログ放送信号から前記音声信号を生成する音声信号処理部を含む１枚又は複数の基板によって構成されるＡＶプリント基板と、を別基板として形成したことを特徴とする。
【００１０】
上記構成によれば、アナログ放送信号から映像信号及び音声信号を生成する機能を備えた基板（ＡＶプリント基板）と、当該映像信号からＣＲＴ基板へ入力するＲＧＢ信号の生成及び音声信号の増幅をする機能を備えた基板（ＴＶプリント基板）とが別基板にて形成される。
【００１１】
請求項３のデジタル放送対応ＣＲＴ受像機は、デジタル放送を受信、表示するデジタル放送対応ＣＲＴ受像機であって、装置に電源を供給する電源部とＣＲＴへ供給する高電圧を発生させるフライバックトランスと入力された映像信号に同期させてＣＲＴの電子ビームを偏向すると共に入力された映像信号からＣＲＴ基板へ入力するＲＧＢ信号を生成するための映像信号処理部と入力された音声信号を増幅するサウンドアンプ部とを少なくとも含む１枚又は複数の基板によって構成されアナログテレビとデジタルテレビとにおいて共通するＴＶプリント基板と、デジタル放送信号から前記映像信号を生成するデジタル映像信号変換部及びデジタル放送信号から前記音声信号を生成するデジタル音声処理部を含む１枚又は複数の基板によって構成されるＡＶプリント基板と、を別基板として形成したことを特徴とする。
【００１２】
上記構成によれば、デジタル放送信号から映像信号及び音声信号を生成する機能を備えた基板（ＡＶプリント基板）と、当該映像信号からＣＲＴ基板へ入力するＲＧＢ信号の生成及び音声信号の増幅をする機能を備えた基板（ＴＶプリント基板）とが別基板にて形成される。
【００１３】
請求項４の高精細度対応ＣＲＴ受像機又はデジタル放送対応ＣＲＴ受像機は、請求項１記載の高精細度対応ＣＲＴ受像機又は請求項２記載のデジタル放送対応ＣＲＴ受像機であって、前記映像信号処理部が、少なくとも、クロマ部、水平ドライブ回路部及び垂直ドライブ回路部によって構成され、前記ＴＶプリント基板が、操作ボタンやリモコン受光部などを備えるオペレーション部及び外部入力端子部を備えたことを特徴とする。
【００１４】
上記構成によれば、映像信号処理部・サウンドアンプ部・電源部・フライバックトランス・オペレーション部及び外部入力端子部が、ＴＶプリント基板に形成され、当該ＴＶプリント基板が高精細度対応ＣＲＴ受像機とデジタル放送対応ＣＲＴ受像機との間で共通化される。
【００１５】
請求項５の高精細度対応ＣＲＴ受像機は、請求項１又は請求項３記載の高精細度対応ＣＲＴ受像機であって、前記映像信号変換部が、少なくとも、アナログチューナ装置、３Ｄ  Ｙ／Ｃ分離部、Ｉ／Ｐ変換部、スケーラ部及び制御部によって構成され、前記音声信号処理部が、少なくとも、前記アナログチューナ装置、音多部、サウンドプロセッサ部及び前記制御部によって構成され、前記ＡＶプリント基板が、ＡＶスイッチ部、Ａ／Ｄコンバータ部及び外部入出力端子部を備えたことを特徴とする。
【００１６】
請求項６のデジタル放送対応ＣＲＴ受像機は、請求項２又は請求項３記載のデジタル放送対応ＣＲＴ受像機であって、前記デジタル映像信号変換部が、少なくとも、デジタルチューナ装置、情報圧縮伸張部及び制御部によって構成され、前記デジタル音声処理部が、少なくとも、前記デジタルチューナ装置、前記情報圧縮伸張部、サウンドプロセッサ部及び前記制御部によって構成され、前記ＡＶプリント基板が、ＡＶスイッチ部及び外部入出力端子部を備えたことを特徴とする。
【発明の効果】
【００１７】
本発明の請求項２の、アナログ放送を受信、表示する高精細度対応ＣＲＴ受像機であって、装置に電源を供給する電源部とＣＲＴへ供給する高電圧を発生させるフライバックトランスと入力された映像信号に同期させてＣＲＴの電子ビームを偏向すると共に入力された映像信号からＣＲＴ基板へ入力するＲＧＢ信号を生成するための映像信号処理部と入力された音声信号を増幅するサウンドアンプ部とを少なくとも含む１枚又は複数の基板によって構成されアナログテレビとデジタルテレビとにおいて共通するＴＶプリント基板と、アナログ放送信号から前記映像信号を生成する映像信号変換部及びアナログ放送信号から前記音声信号を生成する音声信号処理部を含む１枚又は複数の基板によって構成されるＡＶプリント基板と、を別基板として形成したことを特徴とする高精細度対応ＣＲＴ受像機によれば、アナログ放送信号から映像信号及び音声信号を生成する機能を備えた基板（ＡＶプリント基板）と、当該映像信号からＣＲＴ基板へ入力するＲＧＢ信号の生成及び音声信号の増幅をする機能を備えた基板（ＴＶプリント基板）とが別基板にて形成されるため、アナログテレビからデジタルテレビへの移行時の製品の開発・製造コストや、機能・グレードの異なる製品群の開発・製造コストを低減させることができる。すなわち、映像信号（例えば有効走査線１０８０ｉの色差信号）からＣＲＴ表示管へ映像を表示させるための機能や、電源供給部などは、アナログテレビとデジタルテレビとにおいて共通するものであり、これらの共通機能部とそれ以外の機能部とを別基板とすることによって、非共通機能部分（ＡＶプリント基板）を入れ換えることのみによってアナログテレビからデジタルテレビへの切換えやグレードの異なる製品を提供することができる（例えば、デジタル放送信号から映像信号及び音声信号を生成するＡＶプリント基板や、アナログ放送信号から映像信号及び音声信号を生成する際に高画質・高音質化する回路を有するＡＶプリント基板、高画質・高音質化する回路を有しないＡＶプリント基板などの、各種ＡＶプリント基板の開発・製造をすることのみで、それぞれの仕様の製品を提供することができる）。
【００１８】
本発明の請求項４の、前記映像信号処理部が、少なくとも、クロマ部、水平ドライブ回路部及び垂直ドライブ回路部によって構成され、前記ＴＶプリント基板が、操作ボタンやリモコン受光部などを備えるオペレーション部及び外部入力端子部を備えたことを特徴とする請求項１記載の高精細度対応ＣＲＴ受像機、又は、請求項２記載のデジタル放送対応ＣＲＴ受像機によれば、映像信号処理部・サウンドアンプ部・電源部・フライバックトランス・オペレーション部及び外部入力端子部が、ＴＶプリント基板に形成され、当該ＴＶプリント基板が高精細度対応ＣＲＴ受像機とデジタル放送対応ＣＲＴ受像機との間で共通化されるため、さらに共通化部分が増加し、アナログテレビからデジタルテレビへの移行時の製品の開発・製造コストや、機能（グレード）の異なる製品群の開発・製造コストを低減させることができる。
【発明を実施するための最良の形態】
【００１９】
以下、本発明の具体的実施例について、図面を参照しながら説明する。なお、以下の実施態様は、本発明を具体化する際の一形態であって、本発明をその範囲内に限定するためのものではない。
【実施例１】
【００２０】
図１は本実施例の高精細度対応ＣＲＴ受像機を示す斜視図、図２及び図３は当該高精細度対応ＣＲＴ受像機の構成の概略を示すための図であり、図２は分解斜視図、図３は一部を透過的に示したａ：上面図、ｂ：正面図、ｃ：側面図である。なお、図面では簡単化されているが、各プリント基板は種々の電気電子部品が実装されてなるものであり、且つ、各プリント基板は相互に電気的に接続され、各種信号を入出力するものである。
【００２１】
本実施例の高精細度対応ＣＲＴ受像機１（以下単にＣＲＴ受像機１）は、図１〜図３に示されるように、フロントキャビネット１１及びリアキャビネット１２によって構成される筐体内に、ＣＲＴ表示管１５・ＴＶプリント基板５０・ＡＶプリント基板４０・スピーカー１６等が備えられる。開口窓部１１ｃを有するフロントキャビネット１１には、ＣＲＴ表示管１５が映像表示領域を開口窓部１１ｃによって露出されて備えられると共に、フロントキャビネット１１の下部には、ＡＶプリント基板４０・ＴＶプリント基板５０が備えられ、スピーカー１６が音響効果を考慮してフロントキャビネット１１の両サイド側に配置される。また、ＣＲＴ表示管１５にはＴＶプリント基板５０からのＲＧＢ信号を増幅して出力する回路を備えるＣＲＴ基板１７が接続される。なお、本実施例の高精細度対応ＣＲＴ受像機１は有効走査線が１０８０ｉである。
【００２２】
図４はＡＶプリント基板４０の構成の概略を示すためのブロック図であり、図５はＴＶプリント基板５０の構成の概略を示すためのブロック図である。ＡＶプリント基板４０は（図４参照）、アナログチューナ部４０１・音多部４０２・サウンドプロセッサ部４０３・外部入出力部４０４・ＡＶスイッチ部４０５・ＳＹＮＣカウント部４０６・ＨＤＭＩ部４０７・制御部４０８・レギュレータ部４０９・３Ｄ  Ｙ／Ｃ分離部４１０・Ｉ／Ｐ変換部４１１・スケーラ部４１２・Ａ／Ｄコンバータ部４１３を備える。ＴＶプリント基板５０は（図５参照）、オペレーション部５０２・電源部５０３・サウンドアンプ部５０４・クロマ部５０５・水平ドライブ回路部５０６・フライバックトランス５０７・垂直ドライブ回路部５０８を備える。なお、基板５０１は外部入出力端子を備える基板であり、ＣＲＴ受像機１の正面下部に入出力端子部１８を形成するものである。
【００２３】
アナログ放送信号を受信する場合の、ＡＶプリント基板４０の動作の概略を説明する。アナログチューナ部４０１では入力されたアナログ放送信号を映像中間周波信号（以下映像ＩＦ信号）及び音声中間周波信号（以下音声ＩＦ信号）に変換し、さらに映像ＩＦ信号については映像ＩＦ信号から複合映像信号が取り出される。複合映像信号はＡＶスイッチ部４０５（外部入力信号とチューナからの信号のうちの何れか１つを選択する）を介して３Ｄ  Ｙ／Ｃ分離部４１０に入力され、輝度信号と色信号とに分離された色差信号が作り出される。当該色差信号はＩ／Ｐ変換部４１１において表示方式の変換及び有効走査線数の変換（本実施例のＣＲＴ受像機１は有効走査線が１０８０ｉであるため、例えば有効走査線が４８０ｉの放送を受信した場合には１０８０ｉに変換する）が行われた後、スケーラ部４１２によって画面表示モードに合わせた（アスペクト比に応じた）有効走査線１０８０ｉの色差信号に変換される。一方、音声ＩＦ信号は音多部４０２によってステレオ音声か二ヶ国語音声か等の判別が行われ、それぞれに応じた復調音声信号が作り出される。復調音声信号はサウンドプロセッサ部４０３によって音質調整や立体音響効果などの信号処理が行われたサウンドアンプ入力用音声信号に変換される。なお、上記各機能部の動作は制御部４０８によって動作を制御される。このようにアナログ放送信号は、ＡＶプリント基板４０の、映像信号変換部であるアナログチューナ部４０１・３Ｄ  Ｙ／Ｃ分離部４１０・Ｉ／Ｐ変換部４１１・スケーラ部４１２・制御部４０８によって有効走査線１０８０ｉの色差信号に変換され、音声信号処理部であるアナログチューナ部４０１・音多部４０２・サウンドプロセッサ部４０３・制御部４０８によってサウンドアンプ入力用音声信号に変換されてＴＶプリント基板５０に入力される。
【００２４】
外部入力端子部４０４からデジタル高画質信号が入力された場合の、ＡＶプリント基板４０の動作の概略を説明する。ＨＤＭＩ部４０７では入力されたデジタル高画質信号をアナログ高画質映像信号及びアナログ音声信号に変換する。アナログ高画質映像信号はＡＶスイッチ部４０５（外部入力信号とチューナからの信号のうちの何れか１つを選択する）を介してＳＹＮＣカウント部４０６に入力されて信号のフォーマット種別が判別され、Ａ／Ｄコンバータ部４１３によってデジタル高画質映像信号に変換される。次にデジタル高画質映像信号はＩ／Ｐ変換部４１１において表示方式の変換（入力された信号がプログレッシブ表示（順次走査）方式である場合にはインターレース表示（飛越走査）方式へと変換する）がなされた後、スケーラ部４１２によって画面表示モードに合わせた（アスペクト比に応じた）有効走査線１０８０ｉの色差信号に変換される。一方、アナログ音声信号はサウンドプロセッサ部４０３によって音質調整や立体音響効果などの信号処理が行われたサウンドアンプ入力用音声信号が作り出される。なお、上記各機能部の動作は制御部４０８によって動作を制御される。このようにデジタル高画質信号は、ＡＶプリント基板４０の、映像信号変換部であるＨＤＭＩ部４０７・ＳＹＮＣカウント部４０６・Ａ／Ｄコンバータ部４１３・Ｉ／Ｐ変換部４１１・スケーラ部４１２・制御部４０８によって有効走査線１０８０ｉの色差信号に変換され、音声信号処理部であるサウンドプロセッサ部４０３・制御部４０８によってサウンドアンプ入力用音声信号に変換されてＴＶプリント基板５０に入力される。
【００２５】
次に、ＡＶプリント基板４０から有効走査線１０８０ｉの色差信号及びサウンドアンプ入力用音声信号を入力されたＴＶプリント基板５０の動作の概略を説明する。クロマ部５０５では、入力された有効走査線１０８０ｉの色差信号を明るさ調整、明暗調整、色調整、マトリックス処理などによりＲＧＢ信号が生成されると共に、入力された有効走査線１０８０ｉの色差信号から水平同期信号と垂直同期信号が取り出される。水平同期信号と垂直同期信号はそれぞれ水平ドライブ回路部５０６と垂直ドライブ回路部５０８によって、有効走査線１０８０ｉの色差信号に同期させてＣＲＴ表示管１５の電子ビームを偏向させるための、水平偏向出力信号と垂直偏向出力信号が作り出される。水平偏向出力信号と垂直偏向出力信号をＣＲＴ表示管１５と一体に取り付けられている偏向コイル（図示せず）に接続することで、ＣＲＴ表示管１５の電子ビームが偏向され、ＣＲＴ表示管１５の画面上にＲＧＢ信号が映し出される。
【００２６】
上記のごとく映像信号処理部であるクロマ部５０５・水平ドライブ回路部５０６・垂直ドライブ回路部５０８によって生成されたＲＧＢ信号は、ＣＲＴ基板１７で増幅されてＣＲＴ表示管１５に表示され、ＡＶプリント基板４０から入力されたサウンドアンプ入力用音声信号はＴＶプリント基板５０のサウンドアンプ部５０４によって増幅されてスピーカー１６から出力される。なお、ＴＶプリント基板５０に備えられるオペレーション部５０２は操作部１３やリモコン受光部１４が備えられるブロックであり、フライバックトランス５０７はＣＲＴ表示管１５へ供給する高圧電圧を発生する装置、電源部５０３はＣＲＴ受像機１装置全体へ電源を供給するものである。ＡＶプリント基板４０に備えられるレギュレータ部４０９は電源部５０３から供給される電力を一定電圧に変換してＡＶプリント基板４０に供給するものである。
【００２７】
以上のごとく、本実施例の高精細度対応ＣＲＴ受像機１によれば、電源部５０３とフライバックトランス５０７と有効走査線１０８０ｉの色差信号に同期させてＣＲＴの電子ビームを偏向すると共に入力された有効走査線１０８０ｉの色差信号からＣＲＴ基板へ入力するＲＧＢ信号を生成するための映像信号処理部とをＴＶプリント基板５０に形成し、一方、アナログ放送信号若しくは外部入力信号から有効走査線１０８０ｉの色差信号及びサウンドアンプ入力用音声信号を生成する機能部（映像信号変換部及び音声信号処理部）をＴＶプリント基板５０とは別基板であるＡＶプリント基板４０に形成しているため、有効走査線１０８０ｉの色差信号及びサウンドアンプ入力用音声信号を生成するＡＶプリント基板４０を交換することによって、多種の製品を最小限の開発コスト及び製造コストにて製造することができる。すなわち、ＣＲＴ表示装置として共通する機能部分（有効走査線１０８０ｉの色差信号及びサウンドアンプ入力用音声信号から映像・音声を出力する部分や電源部分）をＴＶプリント基板に形成することで、例えば、デジタル放送信号から有効走査線１０８０ｉの色差信号及びサウンドアンプ入力用音声信号を生成するＡＶプリント基板や、アナログ放送信号から有効走査線１０８０ｉの色差信号及びサウンドアンプ入力用音声信号を生成する際に高画質・高音質化する回路を有するＡＶプリント基板、高画質・高音質化する回路を有しないＡＶプリント基板などをそれぞれ開発し、これらを入れ換えることによって、デジタルテレビ・ハイエンドアナログテレビ・ローエンドアナログテレビといった製品群を提供できるのである。なお、本実施例においては、製品グレードの違いによって音質にも差異を設けることができるように、サウンドプロセッサ部４０３をＡＶプリント基板４０に形成しているが、サウンドプロセッサ部４０３をＴＶプリント基板側に形成することで、共通化部分を多くしてもよい。
【実施例２】
【００２８】
図６は本実施例のデジタル放送対応ＣＲＴ受像機を示す斜視図、図７及び図８は当該デジタル放送対応ＣＲＴ受像機の構成の概略を示すための図であり、図７は分解斜視図、図８は一部を透過的に示したａ：上面図、ｂ：正面図、ｃ：側面図である。なお、実施例１と同様の構成部分については実施例１と同様の符号を使用し、ここでの詳しい説明を省略する。
【００２９】
本実施例のデジタル放送対応ＣＲＴ受像機６（以下単にデジタルＣＲＴ受像機６）は、図６〜図８に示されるように、フロントキャビネット１１及びリアキャビネット１２によって構成される筐体内に、ＣＲＴ表示管１５・ＴＶプリント基板５０・ＡＶプリント基板９０・スピーカー１６等が備えられる。ＡＶプリント基板９０は、上下に重なるように配置される第１基板９１０と第２基板９２０とによって構成される。なお、本実施例のデジタル放送対応ＣＲＴ受像機１は有効走査線が１０８０ｉである。
【００３０】
図９のａはＡＶプリント基板９０を構成する第１基板９１０の構成の概略を示すためのブロック図であり、ｂは同第２基板９２０のブロック図である。第１基板９１０は、外部入出力部９１１・ＡＶスイッチ部９１２・音多部４０２・サウンドプロセッサ部４０３・３Ｄ  Ｙ／Ｃ分離部９１５・制御部９１６・ＨＤＭＩ部４０７を備え、第２基板９２０はアナログ＋デジタルチューナ部９２１・レギュレータ部９２２・外部入出力部９２３・情報圧縮伸張部９２４・ＰＯＤ部９２５・外部入出力コントローラ部９２６・ビデオデコーダ部９２７を備える。なおＴＶプリント基板５０は実施例１（図５）と同一のものであり、ＡＶプリント基板９０から入力された有効走査線１０８０ｉの色差信号及びサウンドアンプ入力用音声信号を処理する動作も同一であるためここでの説明を省略する。
【００３１】
デジタル放送信号を受信する場合の、ＡＶプリント基板９０の動作の概略を説明する。アナログ＋デジタルチューナ部９２１では入力されたデジタル放送信号をデジタル映像音声信号に変換する。当該デジタル映像音声信号は、圧縮されたデータの形式（ＭＰＥＧ形式）となっているため、情報圧縮伸張部９２４に入力し、圧縮されたデータを元に戻すと共に、有効走査線１０８０ｉの色差信号と復調音声信号が取り出される。復調音声信号はサウンドプロセッサ部４０３によって音質調整や立体音響効果などの信号処理が行われたサウンドアンプ入力用音声信号が作り出される。なお、上記各機能部の動作は制御部９１６によって動作を制御される。このようにデジタル放送信号は、ＡＶプリント基板９０の、デジタル映像信号変換部であるアナログ＋デジタルチューナ部９２１・情報圧縮伸張部９２４・制御部９１６によって有効走査線１０８０ｉの色差信号に変換され、デジタル音声処理部であるアナログ＋デジタルチューナ部９２１・情報圧縮伸張部９２４・サウンドプロセッサ部４０３・制御部９１６によってサウンドアンプ入力用音声信号に変換されてＴＶプリント基板５０に入力される。なお、第２基板９２０に備えられるＰＯＤ部９２５はＰＣカードのデータを読取るものであり、ビデオデコーダ部９２７はアナログ映像信号をデジタル映像信号に変換するものであり、レギュレータ部９２２は電源部５０３から供給される電力を一定電圧に変換してＡＶプリント基板９０に供給するものである。
【００３２】
以上のごとく、本実施例のデジタル放送対応ＣＲＴ受像機６によれば、電源部５０３とフライバックトランス５０７と有効走査線１０８０ｉの色差信号に同期させてＣＲＴの電子ビームを偏向すると共に入力された有効走査線１０８０ｉの色差信号からＣＲＴ基板へ入力するＲＧＢ信号を生成するための映像信号処理部とをＴＶプリント基板５０に形成し、一方、デジタル放送信号若しくは外部入力信号から有効走査線１０８０ｉの色差信号及びサウンドアンプ入力用音声信号を生成する機能部（デジタル映像信号変換部及びデジタル音声処理部）をＴＶプリント基板５０とは別基板であるＡＶプリント基板９０に形成しているため、多種の製品を最小限の開発コスト及び製造コストにて製造することができ、アナログテレビからデジタルテレビへの移行期における製品開発スピードも上げることができる。又、本実施例のデジタルＣＲＴ受像機６に備えられるＣＲＴ基板１７は図１０に示されるように、ＲＧＢ信号を増幅する回路について、高周波のＲＧＢ信号にも追従して増幅する高周波特性に優れたトランジスタ１００ａ〜１００ｃ（本トランジスタ１００ａ〜１００ｃには大きな電流が流れ、発熱量も多いため、放熱器も大型のものが備えられる）を搭載できる基板構成としているため、ローエンドモデルに使用するＣＲＴ基板１７ａ（図１０ａ）とハイエンドモデルに使用する大型の放熱器を備えたトランジスタ１００ａ〜１００ｃを搭載したＣＲＴ基板１７ｂ（図１０ｂ）の共通化も図られており、性能の区別化が図られた製品群をより低コストで提供することができる。
【図面の簡単な説明】
【００３３】
【図１】実施例１の高精細度対応ＣＲＴ受像機を示す斜視図
【図２】実施例１の高精細度対応ＣＲＴ受像機を示す分解斜視図
【図３】実施例１の高精細度対応ＣＲＴ受像機の一部を透過的に示した  ａ：上面図、ｂ：正面図、ｃ：側面図
【図４】実施例１のＡＶプリント基板の構成の概略を示すためのブロック図
【図５】実施例１のＴＶプリント基板の構成の概略を示すためのブロック図
【図６】実施例２のデジタル放送対応ＣＲＴ受像機を示す斜視図
【図７】実施例２のデジタル放送対応ＣＲＴ受像機を示す分解斜視図
【図８】実施例２のデジタル放送対応ＣＲＴ受像機の一部を透過的に示した  ａ：上面図、ｂ：正面図、ｃ：側面図
【図９】実施例２のＡＶプリント基板の構成の概略を示すためのブロック図
【図１０】ＣＲＴ基板１７を示す平面図
【符号の説明】
【００３４】
１      高精細度対応ＣＲＴ受像機
４０・９０    ＡＶプリント基板
５０    ＴＶプリント基板
４０１  アナログチューナ部
４０２    音多部
４０３    サウンドプロセッサ部
４０４・９１１    外部入出力部
４０５・９１２    ＡＶスイッチ部
４０６    ＳＹＮＣカウント部
４０８・９１６    制御部
４１０・９１５    ３Ｄ  Ｙ／Ｃ分離部
４１１    Ｉ／Ｐ変換部
４１２    スケーラ部
４１３    Ａ／Ｄコンバータ部
５０２    オペレーション部
５０３    電源部
５０４    サウンドアンプ部
５０５    クロマ部
５０６    水平ドライブ回路部
５０７    フライバックトランス
５０８    垂直ドライブ回路部
９２１    アナログ＋デジタルチューナ部
９２４    情報圧縮伸張部
【図１】
2005347812.tif 000003
【図２】
2005347812.tif 000004
【図３】
2005347812.tif 000005
【図４】
2005347812.tif 000006
【図５】
2005347812.tif 000007
【図６】
2005347812.tif 000008
【図７】
2005347812.tif 000009
【図８】
2005347812.tif 000010
【図９】
2005347812.tif 000011
【図１０】
2005347812.tif 000012